(57)【要約】      （修正有）【課題】災害等で地面が濡れている場所ではベッドとして、また負傷者等を運ぶ場合は担架として使用でき、取っ手の取付部分の損壊を防止でき、また部品数、組立工程数を少なくして安価に提供でき、更には保管台数を増やすことができる担架機能付きベッドを提供する。【解決手段】人体１を横たえるための寝台部２と、この寝台部２を支える脚３とで形成する。寝台部２を、略長方形の枠材４と、この枠材４の短辺部４ａを取っ手として使用できるよう短辺部４ａとの間に隙間Ｓをあけて枠材４の長辺部４ｂに張る人体支持用の面状材５とで形成する。脚３を折畳み自在に形成する。【選択図】図１
0003188741.tif 000002
【実用新案登録請求の範囲】
【請求項１】
人体を横たえるための寝台部と、この寝台部を支える脚とで形成されているベッドであって、上記の寝台部が、略長方形の枠材と、この枠材の短辺部を取っ手として使用できるよう短辺部との間に隙間があけられて枠材の長辺部に張られている人体支持用の面状材とで形成され、上記の脚が折畳み自在に形成されていることを特徴とする担架機能付きベッド。
【請求項２】
請求項１記載の担架機能付きベッドであって、枠材の両長辺部に、寝台部からの落下を防止するための柵が設けられ、この柵が寝台部の内方に倒伏可能に形成されていることを特徴とする担架機能付きベッド。
【請求項３】
請求項１又は２記載の担架機能付きベッドであって、脚が、枠材の一方の長辺部から他方の長辺部に渡されてなる１本の金属材で屈曲形成され、長辺部を正面から見て左右一対状に設けられていることを特徴とする担架機能付きベッド。
【請求項４】
請求項１乃至３の何れかに記載の担架機能付きベッドであって、人体支持用の面状材が可撓状に形成されていることを特徴とする担架機能付きベッド。
【考案の詳細な説明】
【技術分野】
【０００１】
本考案は、担架機能付きベッドに関し、更に詳しくは、災害時等において、負傷者の救出作業や看護等に利用できるよう形成した担架機能付きベッドに関するものである。
【背景技術】
【０００２】
従来、この種の器具としては、例えば特許文献１に記載されているものが知られている。
特許文献１の従来品は、マット芯材の長手方向の両端部に、左右一対の担架機能部を設け、人体を横たえるためのマットを必要に応じて担架としても使用できるように形成している。
【０００３】
しかしながら、この従来品は、マットを、直接、地面に置いて人体を横たえる構造であった。従って、これによると、災害等で地面が濡れていたり、障害物が散乱している場所でベッドとして使用する場合は、使い勝手が悪い、という問題点があった。
【０００４】
また従来品は、合成樹脂製のマット芯材の短辺側に、取っ手が左右一対状に取り付けられている。従って、これによると、人体の重みや運搬時の振動等で取っ手の取付箇所に余分な荷重が加わり、この箇所から壊れ易い、という問題点があった。
【０００５】
またこのように従来品は、マット芯材の短辺側に取っ手を左右一対状に取り付けているため、部品数や組立工程が多くなるのを避けられなかった。
従って、従来品によると、その分、製造コストが高く付き、製品価格が高くなる、という問題点があった。
【先行技術文献】
【特許文献】
【０００６】
【特許文献１】特開２００２−１０２２９５号公報
【考案の概要】
【考案が解決しようとする課題】
【０００７】
本考案は、このような従来品の問題点に鑑み、提案されたものである。
従って本考案の解決しようとする技術的課題は、災害等で地面が濡れている場所ではベッドとして、また負傷者等を運ぶ場合は担架として使用でき、取っ手の取付部分の損壊を防止でき、また部品数、組立工程数を少なくして安価に提供でき、更には保管台数を増やすことができるよう形成した担架機能付きベッドを提供することにある。
【課題を解決するための手段】
【０００８】
本考案は、上記の課題を解決するため、次のような技術的手段を採る。
即ち、本考案は、図１等に示されるように、人体１を横たえるための寝台部２と、この寝台部２を支える脚３とで形成されているベッドであって、上記の寝台部２が、略長方形の枠材４と、この枠材４の短辺部４ａを取っ手として使用できるよう短辺部４ａとの間に隙間Ｓがあけられて枠材４の長辺部４ｂに張られている人体支持用の面状材５とで形成され、上記の脚３が折畳み自在に形成されていることを特徴とする（請求項１）。
【０００９】
ここで、略長方形とは、枠材４の短辺部４ａが直線には限られず、寝台部２の外側或いは内側に向かって、例えば弧状に湾曲したり、或いは屈曲している場合も含まれる、ということを意味する。本考案の場合、枠材４や面状材５の材質は、自由である。隙間Ｓは、通常、寝台部２の両側に同じ間隔で形成されるが、例えば人体１の頭が配置される側の隙間Ｓを小さく、脚３側が大きくあけられているのでも良い。
【００１０】
また本考案は、枠材４の両長辺部４ｂに、寝台部２からの落下を防止するための柵７が設けられ、この柵７が寝台部２の内方に倒伏可能に形成されているのが好ましい（請求項２）。
【００１１】
なぜならこれによると、睡眠時や運搬時に、寝台部２からの落下を防止でき、安全性を向上できるからである。
【００１２】
また本考案は、脚３が、枠材４の一方の長辺部４ｂから他方の長辺部４ｂに渡されてなる１本の金属材で屈曲形成され、長辺部４ｂを正面から見て左右一対状に設けられているのが好ましい（請求項３）。
【００１３】
なぜならこれによると、脚３の折畳み操作を、４本脚の場合より楽に且つ迅速にできるからである。
【００１４】
また本考案は、人体支持用の面状材５が可撓状に形成されているのが好ましい（請求項４）。
【００１５】
なぜならこれによると、面状材５が撓んで寝心地が良くなり、また人体１をソフトに支持して負傷者の身体に与える負担を小さくでき、更には軽量化し易くなるからである。
【考案の効果】
【００１６】
本考案は、このように人体を横たえるための寝台部と、この寝台部を支える脚とで形成されているベッドであって、上記の寝台部が、略長方形の枠材と、この枠材の短辺部を取っ手として使用できるよう短辺部との間に隙間があけられて枠材の長辺部に張られている人体支持用の面状材とで形成され、上記の脚が折畳み自在に形成されている。
【００１７】
従って、本考案の場合は、災害等で地面が濡れている場所でもベッドとして使用できる。
また本考案は、枠材の短辺部を取っ手として使用できる。
従って、これによれば、非常時は短辺部を持って担架代わりに負傷者等を運搬できる。
【００１８】
またこの場合、本考案品は、枠材の短辺部が取っ手として機能するから、取っ手を別個に形成し、これを本体に取り付ける構造の従来品に比べ、壊れにくくなる、という実用上優れた効果を奏する。
また本考案は、部品数が少なく、組立工程が少なくて済むから、これによれば、安価に提供できる。
【００１９】
更に本考案は、枠材と面状材とで寝台部が扁平状に形成され、脚を折り畳むことができる。
従って、これによれば、保管時の厚みを薄くでき、保管台数を増やすことができる。
【図面の簡単な説明】
【００２０】
【図１】本考案のベッドの斜視図である。
【図２】本考案のベッドの平面図である。
【図３】本考案のベッド正面図である。
【図４】本考案のベッドの底面図である。
【図５】本考案のベッドの要部分解斜視図である。
【図６】本考案のベッドの一部を切欠した要部平面図である。
【図７】Ａは柵の起立状態、Ｂは柵の折畳み操作を示すための、図６のＶＩＩ−ＶＩＩ線における断面図である。
【図８】本考案のベッドの保管状態を示す斜視図である。
【図９】本考案のベッドの保管状態を示す正面図である。
【考案を実施するための形態】
【００２１】
以下、本考案を実施するための好適な一実施形態を、添付図面に従って説明する。
本考案は、図１等に示されるように、人体１を横たえるための寝台部２と、この寝台部２を支える脚３とで形成されているベッドである。
【００２２】
上記の寝台部２は、略長方形の枠材４と、この枠材４の短辺部４ａを取っ手として使用できるよう短辺部４ａとの間に隙間Ｓがあけられて枠材４の長辺部４ｂに張られている人体支持用の面状材５とで形成されている。枠材４は、この実施形態では軽量金属製のパイプで形成されている。また人体支持用の面状材５は、強度の高い布帛等で可撓状に形成されている。
【００２３】
上記の脚３は、この実施形態では枠材４の一方の長辺部４ｂから他方の長辺部４ｂに渡されてなる１本の金属材で屈曲形成され、長辺部４ｂを正面から見て左右一対状に設けられている。脚３の端部は、枠材４の長辺部４ｂにネジ６で回動自在に取り付けられ、脚３は、この実施形態では寝台部２の内側中央寄りに折畳み自在に形成されている。
【００２４】
この場合、脚３は、折り畳まれた姿勢を保持できるよう、脚３の枢着箇所に、例えば摩擦抵抗で落下を防止したり、或いはバネ等でなる落下防止手段が設けられているのが良い。なお、この実施形態の場合、脚３の高さは、３００（ｍｍ）、接地部分３ａの長さは、８００（ｍｍ）に選定されている。
【００２５】
またこの実施形態の本考案は、枠材４の両長辺部４ｂに、寝台部２からの落下を防止するための柵７が設けられている。この柵７は、例えばアルミ合金等の金属パイプで形成され、その端部は、図５等に示されるように、枠材４の長辺部４ｂにネジ８で枢着されている。柵７は、これにより寝台部２の内方に倒伏可能に形成されている。
【００２６】
９は、枠材４の長辺部４ｂに設けられている柵取付部である。この柵取付部９は、枠材４の長辺部４ｂに対向状に固定される一対の起立片９ａを備えて形成されている。この起立片９ａには、ネジ８の通し孔９ａ１が形成されている。
【００２７】
また図５において、柵７は、下端部にネジ８を通すための長孔７ａが縦長状に形成されている。また枠材４の長辺部４ｂに、柵７の下端部を嵌合させるための凹孔９ｂが形成されている。この実施形態の場合、柵７の高さは、２００（ｍｍ）、長さは、９００（ｍｍ）に選定されている。
【００２８】
次に、この実施形態の本考案品の使用例を説明する。
本考案品をベッドとして使用する場合は、図１等に示されるように、脚３を立て、人体１を横たえて使用する。
【００２９】
而して、本考案品を担架として使用する場合は、脚３を寝台部２の内側に回して折り畳み、人体支持用の面状材５に沿って配置し、寝台部２を扁平化する。次に使用者は、隙間Ｓに手を入れ、枠材４の短辺部４ａを持ち、負傷者等を寝台部２に載せて運搬する。運搬時は、柵７を立てて置くことにより、人体１の側方への転落を防止するのが良い。
【００３０】
次に、本考案品を倉庫等に保管する場合について説明する。
この場合は、脚３と柵７を折り畳み、本考案品を扁平化する。柵７を折り畳む場合は、図７に示されるように、先ず、使用者は、同図Ｂに上向き矢印で示されるように、柵７を持ち上げ、次に、ネジ８の軸を中心に柵７を寝台部２の内側に回動させて倒伏させる。
【００３１】
そして、使用者は、図８、図９に示されるように、１台目の本考案品の上に、２台目の本考案品を載せ、順次、３台目、４台目と積んで保管する。従って、本考案品は、寝台部２の厚みを薄くできるから、これによれば、保管場所を広くとることなく、多数の本考案品を効率良く保管できる。
【符号の説明】
【００３２】
１      人体
２      寝台部
３      脚
４      枠材
４ａ    短辺部
４ｂ    長辺部
５      人体支持用の面状材
Ｓ      隙間
【図１】
0003188741.tif 000003
【図２】
0003188741.tif 000004
【図３】
0003188741.tif 000005
【図４】
0003188741.tif 000006
【図５】
0003188741.tif 000007
【図６】
0003188741.tif 000008
【図７】
0003188741.tif 000009
【図８】
0003188741.tif 000010
【図９】
0003188741.tif 000011